(57)【要約】      （修正有）【課題】工数を減少して短納期で作成できる収容容器を提供すること。【解決手段】収容容器は、デッキチャネル５を有するボックスパレットの上に、発泡樹脂製の受け枕３０が設けられている。デッキチャネル５と受け枕３０とは一対の連結ブロック１０Ａ、１０Ｂで連結されている。連結ブロック１０Ａ、１０Ｂは、デッキチャネル５の左右側面の一方から、受け枕３０の複数の連結穴４０に挿入される挿入突起１１ａ、１１ｂと、デッキチャネル５の上下の側面を挟んで設けられたロック部１４ａ、１４ｂ、１５ａ、１５ｂとを有している。挿入突起１１ａ、１１ｂは、雌雄の関係で連結する嵌合部を有している。また、ロック部１４ａ、１４ｂ、１５ａ、１５ｂは、一対となる他の連結ブロックのロック部とロック部に対して再度の離脱が困難になる嵌め合いの関係で結合する。【選択図】図１
2020172317.tif 000002
【特許請求の範囲】
【請求項１】
適当な間隔を隔てて複数本が並行に設けられたデッキチャネルを有するボックスパレットと、
前記デッキチャネルの長さ方向と長さ方向を揃えて、前記デッキチャネル上に配置され、発泡樹脂製の直方体の上側面に凹部が設けられ、両横の側面を貫通する複数の連結穴を有する受け枕と、
前記デッキチャネルの両側の側面を挟み込む一対の連結ブロックであって、各連結ブロックは前記デッキチャネルの左右側面の一方から、前記デッキチャネル上に配置された前記受け枕の前記複数の連結穴に挿入される挿入突起と、前記デッキチャネルの上下の側面を挟んで設けられたロック部とを有し、
前記挿入突起は、一対となる他の連結ブロックの挿入突起に対して、夫々が連結穴の中で雌雄の関係で連結する嵌合部を有し
前記ロック部は、一対となる他の連結ブロックのロック部とロック部に対して再度の離脱が困難になる嵌め合いの関係で結合することを特徴とする収容容器。
【請求項２】
前記各連結ブロックは、左右に前記ロック部を有することを特徴とする請求項１に記載の収容容器。
【請求項３】
前記ロック部同士による再度の離脱が困難になる嵌め合いは、バネ部に設けられたカギ部が、テーパを乗り越え、前記バネ部の弾発力により溝部に嵌まり込むことにより為されることを構成すること特徴とする請求項１に記載の収容容器。
【発明の詳細な説明】
【技術分野】
【０００１】
本発明は、自動車用部品などの大型の部材を梱包する収容容器に関する。
【背景技術】
【０００２】
大型の部材を運搬するに際しては、部材が傷付き若しくは変形しないように、台車やボックスパレットの上に枕材を配置し、その上に部材を搭載する。例えば、特許文献１においては、ボックスパレットの桁の上に枕材を配置する例が示されている。また、特許文献２においては、部品が嵌まる凹部を設けた受け枕を多段に積み重ねた例が示されている。これら、いずれの文献も、垂直方向の柱に設けられた案内溝に落とし込むことにより枕材若しくは受け枕を固定している。
【先行技術文献】
【特許文献】
【０００３】
【特許文献１】特開昭５２−９２４４号公報
【特許文献２】実開昭５７−１４９２２０号公報
【発明の概要】
【発明が解決しようとする課題】
【０００４】
収容容器は、運送対象の部品毎に仕様が異なりオーダーメイドで容器メーカにより製造されている。特許文献１や２では、台車やボックスパレットに受け枕を取り付ける際には、台車やボックスパレット側に用意されている溝を使う。このような溝を用いる場合、受け枕は上から入れる必要がある。受け枕と運送対象の部品を交互に積み重ねて配置して多段積する。
【０００５】
特許文献１や２で対象とするような受け枕を挟んで積み重ねられる部品だけではなく、自動車の部品は多種多様である。多段に積み重ねることができない部品の場合は、夫々の段に桁を設けて、夫々に受け枕を設定する。
【０００６】
図３は、ボックスパレット１の多段のデッキチャネル５に受け枕３０を設定した収容容器を示している。図３Ａにおいて、受け枕３０は、デッキチャネル５の長さ方向と長さ方向を揃えて、デッキチャネル５の上に配置された発泡樹脂製の部材である。受け枕３０は、直方体の上側面３３に対して１又は複数の凹部３１が設けられている。凹部３１の形状は、収容する部品に対して嵌合し支持する形状になっている。また、受け枕３０の両横の側面３７から側面３８に掛けて貫通する穴３２が低い位置に離散的に開口している。
【０００７】
図３Ｂは、ボックスパレット１に受け枕３０を設定する例を示している。ボックスパレット１は、フォークリフトの爪が挿入される差し込み口３を下側に有し、四隅の柱２に対して、多段に棚が設けられている。各段の棚は、柱２の間をボックスパレット１の長さ方向に並行に渡された２本のビーム４の間を、さらにデッキチャネル５が橋渡しされている。デッキチャネル５は、適当な間隔を隔てて複数本が並行に設けられている。デッキチャネル５は、金属製の角パイプである。ボックスパレット１には、差し込み口３の代わりに若しくは併設してキャスター（図示せず）を有するものが有り、台車と呼ばれる場合もある。
【０００８】
このような、ボックスパレット１に対して受け枕３０を設置する場合、まず、直方体の発泡樹脂を所用の形状に切断して受け枕３０を作成する。受け枕３０の下側面３４は平坦な面となっており、これに両面テープ３６を貼り付ける。両面テープ３６から剥離紙３５を剥離し、デッキチャネル５に貼り付ける。その後、穴３２に対して結束バンド３９により、デッキチャネル５に対して結束する。結束バンド３９の余剰のバンド部およびテール部を切断し、ヘッド部を穴３２に押し込む。運送対象の部品に結束バンド３９が当たらないようにするためである。
【０００９】
このように収容容器は、手作りの工程を経ており、作業工程が多くて作業効率が悪いという問題があった。また、受け枕３０の上側面３３に対して凹部３１の形状を設けるために、直方体の発泡樹脂を切断して切り出しているが、受け枕３０は柔軟であり、圧縮した上でプレス刃型により凹部の形状を切断する。この際、発泡樹脂の直方体の下側面形状がそのまま受け枕３０の下側面３４の形状として用いられる。すなわち、プレス刃型の刃が当たらないということである。このように、プレス刃型の刃が当たる上側面３３側と、当たらない下側面３４側とが存在することにより、切断の際に発泡樹脂が流動し寸法のバラツキが出やすいという問題があった。
【００１０】
この問題解決の為に本出願人は、特願２０１８−１６０９２０号（以下、先願と称する）において、受け枕をジョイントに連結し、ジョイントをデッキチャネルに押し込んで取り付けることにより製造する収容容器を提案した。
【００１１】
先願の収容容器では、受け枕とジョイントとの連結は、受け枕側の連結溝とジョイントの連結突起により行っている。連結溝は、下面から縦に延びた縦溝と、その後水平に延びる横溝とが、正面から背面に掛けて貫通している。一方、連結突起は、受け枕を挟む一対の横側面部の高さ途中から夫々が対向状に突出しており、連結突起を縦溝に挿入し、その後、水平に動かすことにより、横溝に納めることにより連結する。本提案によれば、手作りの工程を省略して、作業工程が少なくでき、オーダーされた収容容器を短い納期で納入できるという効果がある。
【００１２】
一方、この収容容器では、連結突起を縦横に移動させるために組み立てが簡単ではあるが、受け枕とジョイントとの嵌め合いにおいて若干の遊びが存在する結果、受け枕が多少ではあるが上下に動く。そのような上下動を許容されない用途では、ジョイントに開けられた孔を使って、ネジにより受け枕３０に固定することができるが工数が増加し、工期が伸びる。
【００１３】
そこで本発明は、収容容器の製作工程の削減を図り短納期で納入できる収容容器を提供することを目的とする。
【課題を解決するための手段】
【００１４】
上記目的を達成するため本発明の収容容器は、適当な間隔を隔てて複数本が並行に設けられたデッキチャネルを有するボックスパレットと、
前記デッキチャネルの長さ方向と長さ方向を揃えて、前記デッキチャネル上に配置され、発泡樹脂製の直方体の上側面に凹部が設けられ、両横の側面を貫通する複数の連結穴を有する受け枕と、
前記デッキチャネルの両側の側面を挟み込む一対の連結ブロックであって、各連結ブロックは前記デッキチャネルの左右側面の一方から、前記デッキチャネル上に配置された前記受け枕の前記複数の連結穴に挿入される挿入突起と、前記デッキチャネルの上下の側面を挟んで設けられたロック部とを有し、
前記挿入突起は、一対となる他の連結ブロックの挿入突起に対して、夫々が連結穴の中で雌雄の関係で連結する嵌合部を有し
前記ロック部は、一対となる他の連結ブロックのロック部とロック部に対して再度の離脱が困難になる嵌め合いの関係で結合することを特徴とする。
【発明の効果】
【００１５】
この発明によれば、受け枕とデッキチャネルとをジョイントに連結するだけで収容容器が製造できるので、要する工数を大幅に削減することができる。また、受け枕を貫通する複数の連結穴に対して、同様の断面外形形状を有する複数の挿入突起が挿入されるため、受け枕の揺動が発生しにくい。
【図面の簡単な説明】
【００１６】
【図１】図１Ａは本実施例に係るジョイントと受け枕とデッキチャネルとを示す図であり、図１Ｂ〜１Ｄは嵌合経過を示す図である。
【図２】ジョイントの詳細図であり、図２Ａは斜視図、図２Ｂ、２Ｃは夫々が連結する過程を示した図である。
【図３】従来の収容容器を示す図である。
【発明を実施するための最良の形態】
【００１７】
本発明の実施の形態について添付した図面に基づき説明する。
図１Ａにおいて、本実施例に係る収容容器は、ジョイント１００と受け枕３０とボックスパレット１（デッキチャネル５のみ示した）とを有している。ここにおいて、デッキチャネル５は、図３に示したものと同じであって、デッキチャネル５の長さ方向と長さ方向を揃えて、デッキチャネル５の上に配置される。
【００１８】
一対の連結ブロック１０Ａ、１０Ｂを２つ向かい合わせて連結することにより、ジョイント１００を形成する。ジョイント１００の連結ブロック１０Ａ、１０Ｂは、夫々が樹脂製の一体成形物である。デッキチャネル５を一対の連結ブロック１０Ａ、１０Ｂで挟み込み、かつ受け枕３０の両横の側面３７、３８を貫通する連結穴４０に、連結ブロック１０Ａ、１０Ｂの挿入突起１１ａ、１１ｂが挿入されて固定される。
【００１９】
図２を用いて、ジョイント１００について詳細に説明する。本実施例においては、一対の連結ブロック１０Ａ、１０Ｂは互いに同形とすることにより、必要部品の種類を減らしている。図２Ａにおいては、一対の連結ブロック１０Ａ、１０Ｂを互いに向き合わせた状態を示している。以下、代表して連結ブロック１０Ａについて説明する。
【００２０】
連結ブロック１０Ａは、間隔を開けて左右に挿入突起１１ａ、１１ｂを有している。連結ブロック１０Ａの挿入突起の先端には、一対となる他の連結ブロック（連結ブロック１０Ｂ）の挿入突起に対して連結される雄雌の嵌合部１２ａ、１２ｂが設けられている。実施例においては、連結ブロック１０Ａ、１０Ｂが同形であるので、連結ブロック１０Ａの図面左側の挿入突起１１ａが雌の嵌合部１２ａを、右側の挿入突起１１ｂが雄の嵌合部１２ｂを有している。雄雌の嵌合部１２ａ、１２ｂは、雄の嵌合部１２ｂが雌の嵌合部１２ａに挿入されることにより連結される。この挿入に当たっては、連結が外れないように圧入を必要とする嵌合部１２ａ、１２ｂの内径外径の関係にしても良いし、単なる挿入だけでも良い。雄雌の嵌合部１２ａ、１２ｂの連結により、受け枕３０に加わる力を、連結された挿入突起１１ａ、１１ｂに分散できるようにしておけばよい。尚、連結ブロック１０Ａ、１０Ｂを同形にしないのならば、連結ブロック１０Ａの左右に挿入突起１１ａ、１１ｂを両方とも雌の嵌合部とし、連結ブロック１０Ｂの左右に挿入突起１１ａ、１１ｂを両方とも雄の嵌合部としても良い。
【００２１】
連結ブロック１０Ａは、デッキチャネル５の側面に当接する当接面１３を有しており、一対の連結ブロック１０Ａ、１０Ｂの夫々の当接面１３が、デッキチャネル５の両側面を挟み込むようになっている。連結ブロック１０Ａは、デッキチャネル５の高さ方向の間隔（間隔ｔ、図１Ａ参照）を開けて、上側にロック部１４ａ、１４ｂ、下側にロック部１５ａ、１５ｂを有している。ベース部材１９ａ、１９ｂは、夫々上側のロック部１４ａ、１４ｂ若しくは、下側のロック部１５ａ、１５ｂを間隔ｔに保持する板状の部材である。ロック部１４ａ、１５ａは、一対となる他の連結ブロック（連結ブロック１０Ｂ）のロック部１４ｂ、１５ｂに対して、再度の離脱が困難になるように嵌め合いの関係を成す。
【００２２】
連結ブロック１０Ａのロック部１４ａと連結ブロック１０Ｂのロック部１４ｂ（図では見えないので、連結ブロック１０Ａのロック部１４ｂを参照のこと）について説明すると、ロック部１４ｂのテーパ１４１の背後に設けられた溝部１４２と、テーパ１４１に乗り上げて溝部１４２に嵌まり込むカギ部１４３と、バネ部１４４とからなる。バネ部１４４は、カギ部１４３を先端に有し、テーパ１４１に乗り上げたカギ部１４３を上側にそらしテーパ１４１を超えたら、バネ部１４４の弾発力により復帰する。ロック部１４ａ、１５ａと他の連結ブロック（連結ブロック１０Ｂ）のロック部１４ｂ、１５ｂとが一旦結合すると、バネ部１４４の弾発力に抗してカギ部１４３を持ち上げて溝部１４２から外し、連結ブロック１０Ａと１０Ｂを左右に開かなくてはならないため、再度の離脱が困難となる嵌め合いの関係なのである。本実施例においては、連結ブロック１０Ａには、ロック部１４ａ、１４ｂ、１５ａ、１５ｂは上下左右に合計４つ設けられているが、連結ブロック１０Ａと１０Ｂを同形にするためである。連結ブロック１０Ａの左側には、上下に溝部１４２を有するロック部１４ｂ、１５ａが設けられている。また、連結ブロック１０Ａの右側に、上下にカギ部１４３を有するロック部１４ａ、１５ｂが設けられている。
【００２３】
ロック部１４ａ、１４ｂ、１５ａ、１５ｂは上下左右に合計４つ設けた場合に、連結ブロック１０Ａ、１０Ｂを同形にするには、左右上側については溝部１４２を有するロック部とし、左右下側についてはカギ部１４３を有するロック部としても、またその逆にしても良い。ロック部の数を増やすほど、連結ブロック１０Ａ、１０Ｂの結合を強固にすることができる。
【００２４】
連結ブロック１０Ａはさらに、左右のガイド部１６、１７を有している。ガイド部１６、１７は、連結ブロック１０Ａと１０Ｂとが連結する際に、互いが摺動する。例えば、図２Ｂにおいて、ガイド部１６とガイド部１７が互いに当接している状態が示されている。挿入突起１１ａ、１１ｂやロック部１４ａ、１４ｂ、１５ａ、１５ｂの位置合わせを補助する。左右のガイド部１６、１７は、必須の構成ではなく、削除しても良い。
【００２５】
連結ブロック１０Ａには、デッキチャネル５の側面に対して連結ブロック１０Ａを螺子止めするための螺子孔１８が設けられている。螺子孔１８は、ロック部１４ａ、１４ｂ、１５ａ、１５ｂによる嵌め合いによる結合では不十分の場合にのみ使用される。通常は、使用しなくても良い。螺子孔１８に用いる螺子としては、金属のデッキチャネル５に螺子孔を開けながら螺合するタップ螺子を用いるのが良い。
【００２６】
次に、受け枕３０について説明する。受け枕３０は、発泡樹脂製の直方体の上側面３３に対して、１又は複数の凹部３１を設けた部材である。凹部３１の形状は、収容する部品に対して嵌合し支持するようになっている。また、受け枕３０の側面３７から側面３８に掛けて貫通する連結穴４０が低い位置に開口している。連結穴４０は、連結ブロック１０Ａの挿入突起１１ａ、１１ｂと同様の間隔を開けて、かつ挿入突起１１ａ、１１ｂ、の断面外形形状と同一の大きさに設けられている。受け枕３０は発泡樹脂製で柔軟ではあるが、連結穴４０の内径は挿入突起１１ａ、１１ｂの外形よりもやや大きい方が、組立て作業としてはやりやすい。逆に、連結孔の内径を挿入突起１１ａ、１１ｂの外形よりもやや小さくすると受け枕３０が固く固定される。また、連結穴４０は外周が一周する穴であり、先願の連結溝と違い、一周において開いた箇所がないため、受け枕３０を安定的に保持することが出来る。
【００２７】
図１Ｂ、１Ｃ、１Ｄを参照して、収容容器の製造工程の一例を示す。まず、受け枕３０の上側面３３に対して凹部３１の形状を設けるために、直方体の発泡樹脂を圧縮した上でプレス刃型により切断する。受け枕３０の上側面３３のみならず下側面３４の両方にプレス刃型の刃を当てるようにしてもよい。その際、下側面３４に対して、ロック部１４ａ、１４ｂを逃げるようなヘコみを設けることが望ましい。
【００２８】
図１Ｂにおいて、連結ブロック１０Ａの上下のロック部１４ａ、１４ｂ、１５ａ、１５ｂの間にデッキチャネル５を挟むようにして、連結ブロック１０Ａをデッキチャネル５に取り付けて、図１Ｃにおいて受け枕３０を取り付ける。また、受け枕３０の連結穴４０に、挿入突起１１ａ、１１ｂを挿入する。図１Ｄにおいて、デッキチャネル５の反対側から、連結ブロック１０Ｂを連結する。このときガイド部１６、１７を利用すると、挿入突起１１ａ、１１ｂの連結やロック部１４ａ、１４ｂ、１５ａ、１５ｂの嵌合の位置合わせが容易である。挿入突起１１ａ、１１ｂの嵌合部１２ａ、１２ｂは、連結穴４０の中で連結する。
【００２９】
図２に示す長い受け枕３０に対しては、複数の連結ブロック１０Ａ、１０Ｂを利用し、適当な位置でデッキチャネル５に固定する。受け枕３０の長さは、仕様により様々である。必要に応じて、螺子孔１８にドリル螺子を螺入して、デッキチャネル５と連結ブロック１０Ａ、１０Ｂを固定しても良い。
【００３０】
上記実施例においては、デッキチャネル５として角パイプを用いたボックスパレット１を示したが、断面がＵ字或いはＨ字状のデッキチャネル５であっても良く、左右に面状の側面があるものであれば、湾曲面でも良い。
【００３１】
上記実施例によれば、連結穴４０は円形としていたが、外周の一周において閉じた形状であれば、円形でなくてもかまわない。例えば、三角形、四角形等の多角形でも、又は楕円形でも良い。また、上記実施例によれば、嵌合部１２ａ、１２ｂは、雌の嵌合部１２ａが円筒内周面で構成され、雄の嵌合部１２ｂが円筒外周面で構成されているが、三角形、四角形等の多角形でも、又は楕円形でも良い。
【００３２】
本実施例によれば、連結ブロック１０Ａ、１０Ｂを連結する過程で、受け枕３０とデッキチャネル５とを固定して収容容器が製造できるので、必要とする工数を大幅に削減することができる。また、受け枕を貫通する複数の連結穴４０に対して、連結穴４０に対応する断面外形形状を有する複数の挿入突起１１ａ、１１ｂが挿入されるため受け枕３０の揺動が発生しにくい。
【符号の説明】
【００３３】
１     ボックスパレット
２     柱
３     差し込み口
４     ビーム
５     デッキチャネル
１０Ａ、１０Ｂ     連結ブロック
１１ａ、１１ｂ     挿入突起
１２ａ、１２ｂ     嵌合部
１３     当接面
１４ａ、１４ｂ、１５ａ、１５ｂ     ロック部
１６、１７     ガイド部
１８     螺子孔
１９ａ、１９ｂ     ベース部材
３０     受け枕
３１     凹部
３２     穴
３３     上側面
３４     下側面
３５     剥離紙
３６     両面テープ
３７、３８     側面
３９     結束バンド
４０     連結穴
１００     ジョイント
１４１     テーパ
１４２     溝部
１４３     カギ部
１４４     バネ部
【図１】
2020172317.tif 000003
【図２】
2020172317.tif 000004
【図３】
2020172317.tif 000005
【手続補正書】
【提出日】令和1年7月4日(2019.7.4)
【手続補正１】
【補正対象書類名】特許請求の範囲
【補正対象項目名】請求項１
【補正方法】変更
【補正の内容】
【請求項１】
適当な間隔を隔てて複数本が並行に設けられたデッキチャネルを有するボックスパレットと、
前記デッキチャネルの長さ方向と長さ方向を揃えて、前記デッキチャネル上に配置され、発泡樹脂製の直方体の上側面に凹部が設けられ、両横の側面を貫通する連結穴を有する受け枕と、
前記デッキチャネルの両側の側面を挟み込む一対の連結ブロックであって、各連結ブロックは前記デッキチャネルの左右側面の一方から、前記デッキチャネル上に配置された前記受け枕の前記連結穴に挿入される挿入突起と、前記デッキチャネルの上下の側面を挟んで設けられたロック部とを有し、
前記挿入突起は、一対となる他の連結ブロックの挿入突起に対して、夫々が連結穴の中で雌雄の関係で連結する嵌合部を有し
前記ロック部は、一対となる他の連結ブロックのロック部とロック部に対して再度の離脱が困難になる嵌め合いの関係で結合することを特徴とする収容容器。
【手続補正２】
【補正対象書類名】明細書
【補正対象項目名】００１４
【補正方法】変更
【補正の内容】
【００１４】
上記目的を達成するため本発明の収容容器は、適当な間隔を隔てて複数本が並行に設けられたデッキチャネルを有するボックスパレットと、
前記デッキチャネルの長さ方向と長さ方向を揃えて、前記デッキチャネル上に配置され、発泡樹脂製の直方体の上側面に凹部が設けられ、両横の側面を貫通する連結穴を有する受け枕と、
前記デッキチャネルの両側の側面を挟み込む一対の連結ブロックであって、各連結ブロックは前記デッキチャネルの左右側面の一方から、前記デッキチャネル上に配置された前記受け枕の前記連結穴に挿入される挿入突起と、前記デッキチャネルの上下の側面を挟んで設けられたロック部とを有し、
前記挿入突起は、一対となる他の連結ブロックの挿入突起に対して、夫々が連結穴の中で雌雄の関係で連結する嵌合部を有し
前記ロック部は、一対となる他の連結ブロックのロック部とロック部に対して再度の離脱が困難になる嵌め合いの関係で結合することを特徴とする。